(57)【要約】【課題】上面部の開封後の再封止を簡略な構造で適正に行う。【解決手段】複数の起立面部２により形成された開口部を閉塞する上面部３を備える包装用箱１００である。上面部は、長起立面部２１の上縁部２ａを折り目として開口部側に折曲される第一の上面長片部３１１及び第二の上面長片部３１２を備え、これらには、第一の切欠部４１１及び第二の切欠部４２１が互いに嵌め合わされるようにして係合される第一の係合部４１及び第二の係合部４２が設けられ、第一の係合部及び第二の係合部は、第二の係合部の二つの切欠部の間の内側部分４２Ａが第一の係合部の二つの切欠部の間の内側部分４１Ａの上側に配設され、且つ、第二の係合部の内側部分よりも外側の部分４２Ｂ、４２Ｃが第一の係合部に形成された内側部分よりも外側の部分４１Ｂ、４１Ｃの下側に配設されるように係合される。【選択図】図４
2006232304.tif 000002
【特許請求の範囲】
【請求項１】
底面部と、当該底面部の端部から起立して設けられ、上端側に開口部を形成する複数の起立面部と、当該複数の起立面部により形成された前記開口部を閉塞する上面部とを備える包装用箱であって、
前記複数の起立面部のうち、何れか二つの起立面部の上縁部は、略平行となるように延在して設けられ、
前記上面部は、
前記上縁部の各々から延出され、前記上縁部を折り目として前記開口部側に折曲される第一の上面片部及び第二の上面片部を備え、
前記第一の上面片部及び第二の上面片部には、その先端部から前記上縁部の延在方向に対して略直交する方向に切り欠かれた少なくとも二つの切欠部を有し、当該切欠部が互いに嵌め合わされるようにして係合される第一の係合部及び第二の係合部が設けられ、
前記第一の係合部及び第二の係合部は、何れか一方の係合部に形成された前記二つの切欠部間の部分が他方の係合部に形成された前記二つの切欠部間の部分の上側に配設され、且つ、前記一方の係合部に形成された前記二つの切欠部よりも外側の部分が前記他方の係合部に形成された前記二つの切欠部よりも外側の部分の下側に配設されるように係合されることを特徴とする包装用箱。
【請求項２】
前記第一の係合部及び第二の係合部のうち、前記一方の係合部の前記二つの切欠部間の部分の前記上縁部からの延出長が前記二つの切欠部よりも外側の部分の前記延出長よりも長くなるように形成されていることを特徴とする請求項１に記載の包装用箱。
【請求項３】
前記第一の係合部及び第二の係合部のうち、前記他方の係合部の前記二つの切欠部間の部分の前記上縁部からの延出長が前記二つの切欠部よりも外側の部分の前記延出長よりも短くなるように形成されていることを特徴とする請求項１又は２に記載の包装用箱。
【発明の詳細な説明】
【技術分野】
【０００１】
本発明は、被包装物を包装するための包装用箱に関する。
【背景技術】
【０００２】
従来より、被包装物を包装するための包装用箱として、段ボール紙等からなる一枚の板状体が所定の折り目に沿って折曲されることにより形成されるものが知られている（例えば、特許文献１参照。）。
この包装用箱は、例えば、その上面部を構成する二つの上面片部の先端部どうしを付き合わせるようにして当該包装用箱の上側開口を閉塞し、さらに、上面片部の先端部どうしをテープ等の所定の封止部材により貼り合わせることで封止されるように構成されたものが知られている。
【特許文献１】特開平５−１１２３５３号公報
【発明の開示】
【発明が解決しようとする課題】
【０００３】
しかしながら、上記のように、上面片部の先端部どうしをテープ等により貼り合わせる構成の場合、テープ等が剥がされて上面部が開封されると、上面片部の固定が解除されて開いた状態となるため、上面部の封止を再度行うためにはテープ等を用いて上面片部を再度貼り合わせる必要がある。このように、上面部の再封止を簡便に行うことができないといった問題がある。
なお、上記特許文献１等の場合、上面片部の先端部を包装用箱内に差し込むことにより上面片部の固定と中仕切りの形成とを同時に行うようになっているが、このような構成とすると、中仕切りのために包装用箱内に収容される被包装物の大きさが制限されてしまうこととなる。
【０００４】
そこで、本発明の課題は、上面部の開封後の再封止を簡略な構造で適正に行うことができる包装用箱を提供することである。
【課題を解決するための手段】
【０００５】
請求項１に記載の発明は、例えば、図１〜図４に示すように、
底面部（１）と、当該底面部の端部から起立して設けられ、上端側に開口部を形成する複数の起立面部（２）と、当該複数の起立面部により形成された前記開口部を閉塞する上面部（３）を備える包装用箱（１００）であって、
前記複数の起立面部のうち、何れか二つの起立面部（例えば、長起立面部２１）の上縁部（例えば、長辺上縁部２ａ）は、略平行となるように延在して設けられ、
前記上面部は、
前記上縁部の各々から延出され、前記上縁部を折り目として前記開口部側に折曲される第一の上面片部及び第二の上面片部（例えば、第一の上面長片部３１１及び第二の上面長片部３１２）を備え、
前記第一の上面片部及び第二の上面片部には、その先端部から前記上縁部の延在方向に対して略直交する方向に切り欠かれた少なくとも二つの切欠部（例えば、第一の切欠部４１１、第二の切欠部４２１）を有し、当該切欠部が互いに嵌め合わされるようにして係合される第一の係合部（４１）及び第二の係合部（４２）が設けられ、
前記第一の係合部及び第二の係合部は、何れか一方の係合部に形成された前記二つの切欠部間の部分（例えば、内側部分４２Ａ）が他方の係合部に形成された前記二つの切欠部間の部分（例えば、内側部分４１Ａ）の上側に配設され、且つ、前記一方の係合部に形成された前記二つの切欠部よりも外側の部分（４２Ｂ、４２Ｃ）が前記他方の係合部に形成された前記二つの切欠部よりも外側の部分（４１Ｂ、４１Ｃ）の下側に配設されるように係合されることを特徴としている。
【０００６】
請求項２に記載の発明は、例えば、図２等に示すように、請求項１に記載の包装用箱において、
前記第一の係合部及び第二の係合部のうち、前記一方の係合部の前記二つの切欠部間の部分の前記上縁部からの延出長が前記二つの切欠部よりも外側の部分の前記延出長よりも長くなるように形成されていることを特徴としている。
【０００７】
請求項３に記載の発明は、例えば、図２等に示すように、請求項１又は２に記載の包装用箱において、
前記第一の係合部及び第二の係合部のうち、前記他方の係合部の前記二つの切欠部間の部分の前記上縁部からの延出長が前記二つの切欠部よりも外側の部分の前記延出長よりも短くなるように形成されていることを特徴としている。
【発明の効果】
【０００８】
請求項１に記載の発明によれば、起立面部により形成された開口部を閉塞する上面部は、開口部側に折曲される第一の上面片部及び第二の上面片部を備え、第一の上面片部及び第二の上面片部には、少なくとも二つの切欠部が互いに嵌め合わされるようにして係合される第一の係合部及び第二の係合部が設けられている。さらに、第一の係合部及び第二の係合部は、何れか一方の係合部に形成された二つの切欠部間の部分が他方の係合部に形成された二つの切欠部間の部分の上側に配設され、且つ、一方の係合部に形成された二つの切欠部よりも外側の部分が他方の係合部に形成された二つの切欠部よりも外側の部分の下側に配設されるように係合される。
即ち、第一の上面片部及び第二の上面片部を開口部側に折曲させていくことにより、第一の係合部及び第二の係合部が各々に形成された二つの切欠部が互いに嵌め合わされるようにして係合されることとなる。このとき、第一の係合部の二つの切欠部間の部分及び二つの切欠部よりも外側の部分と第二の係合部の二つの切欠部間の部分及び二つの切欠部よりも外側の部分とが交互に上下に重なった状態となるので、上面部の再封止を適正に行うことができる。従って、第一の上面片部及び第二の上面片部を開口部側と反対側に折曲させて上面部を開封しても、当該上面部の再封止を簡略な構造で適正に行うことができる。
【０００９】
請求項２に記載の発明によれば、請求項１に記載の発明と同様の効果が得られるのは無論のこと、特に、第一の係合部及び第二の係合部のうち、一方の係合部の二つの切欠部間の部分の上縁部からの延出長が二つの切欠部よりも外側の部分の延出長よりも長くなるように形成されているので、第一の係合部と第二の係合部との係合を簡便に行うことができる。即ち、第一の上面片部及び第二の上面片部を開口部側に折曲させることにより、一方の係合部の外側の部分よりも延出長が長くなっている二つの切欠部間の部分の下側に他方の係合部の二つの切欠部間の部分を簡便に配置させることができ、この結果、第一の係合部及び第二の係合部の係合をより簡便に行うことができることとなる。
【００１０】
請求項３に記載の発明によれば、請求項１又は２に記載の発明と同様の効果が得られるのは無論のこと、特に、第一の係合部及び第二の係合部のうち、他方の係合部の二つの切欠部間の部分の上縁部からの延出長が二つの切欠部よりも外側の部分の延出長よりも短くなるように形成されているので、第一の係合部と第二の係合部との係合を簡便に行うことができる。即ち、第一の上面片部及び第二の上面片部を開口部側に折曲させることにより、他方の係合部の外側の部分よりも延出長が短くなっている二つの切欠部間の部分の上側に一方の係合部の二つの切欠部間の部分を簡便に配置させることができ、この結果、第一の係合部及び第二の係合部の係合をより簡便に行うことができることとなる。
【発明を実施するための最良の形態】
【００１１】
以下に、本発明について、図面を用いて具体的な態様を説明する。ただし、発明の範囲は、図示例に限定されない。
ここで、図１は、本発明を適用した一実施形態として例示する包装用箱を示す斜視図であり、図２は、包装用箱を示す展開図である。また、図３は、包装用箱の上面部を開いた状態を示す斜視図である。
【００１２】
本実施形態の包装用箱１００は、例えば、図１に示すように、外形が略直方体状に形成されたものであり、図２及び図３に示すように、段ボール紙等からなる一枚の板状体を所定の折り目に沿って折曲されることで形成されるようになっている。
具体的には、包装用箱１００は、例えば、略長方形状に形成された底面部１（図２及び図３参照）と、この底面部１の端部から略垂直に起立して設けられ、上端側に開口部を形成する４つの起立面部２、…と、起立面部２により形成される開口部を閉塞する上面部３とを備えている。
【００１３】
起立面部２は、底面部１の二つの長辺下縁部１ａ、１ａの各々から延出された二つの長起立面部２１、２１と、底面部１の二つの短辺下縁部１ｂ、１ｂの各々から延出された二つの短起立面部２２、２２とを備えている。
【００１４】
二つの長起立面部２１、２１は、長辺下縁部１ａからの各々の延出長が略等しく略同形の略長方形状に形成され、長辺下縁部１ａを折り目として略垂直に折曲されるものである。これによって、当該二つの長起立面部２１、２１の上端側（先端側）にて一方向に延在する長辺上縁部２ａは、略平行となるように配設されている。
また、二つの短起立面部２２、２２は、短辺下縁部１ｂからの各々の延出長が略等しく略同形の略長方形状に形成され、短辺下縁部１ｂを折り目として略垂直に折曲されるものである。また、短起立面部２２の延出長は、長起立面部２１の延出長と略等しくなっている。
なお、長辺下縁部１ａ及び短辺下縁部１ｂの各々には、長起立面部２１及び短起立面部２２の各々が略垂直に折曲され易くなるようにミシン目（図２参照）が設けられている。
【００１５】
上面部３は、長起立面部２１の各々の長辺上縁部２ａから延出された二つの上面長片部３１、３１と、短起立面部２２の各々の上端（先端）側における短辺上縁部２ｂから延出された二つの上面短片部３２、３２とを備えている。
【００１６】
二つの上面短片部３２、３２は、短辺上縁部２ｂからの各々の延出長が略等しく略同形状に形成され、短辺上縁部２ｂを折り目として内側に折曲されるものである。また、上面短片部３２の先端の角部には、Ｒ（アール）がつけられている。
【００１７】
二つの上面長片部３１、３１は、長辺上縁部２ａを折り目として内側（開口部側）に折曲されるものである。
また、二つの上面長片部３１のうち、図３における左側に設けられた第一の上面長片部３１１は、その先端部から長辺上縁部２ａの延在方向に対して略直交する方向に略Ｖ字状に切り欠かれた二つの第一の切欠部４１１、４１１を有する第一の係合部４１を備え、図３における右側に設けられた第二の上面長片部３１２は、第一の係合部４１に設けられた切欠部４１１に対向させる位置にて、当該第二の上面長片部３１２の先端部から直交方向に略Ｖ字状に切り欠かれた二つの第二の切欠部４２１、４２１を有する第二の係合部４２を備えている。
【００１８】
第一の係合部４１は、その二つの第一の切欠部４１１、４１１の間となる内側部分４１Ａの長辺上縁部２ａからの延出長が内側部分４１Ａよりも外側の部分、即ち、図３における二つの切欠部４１１、４１１の間となる内側部分４１Ａよりも手前側の部分４１Ｂ及び奥側の部分４１Ｃの各々の延出長よりも短くなるように形成されている。
なお、内側部分４１Ａよりも手前側の部分４１Ｂ及び奥側の部分４１Ｃの各々の延出長は略等しくなっている。
【００１９】
一方、第二の係合部４２は、その二つの第二の切欠部４２１、４２１の間となる内側部分４２Ａの長辺上縁部２ａからの延出長が内側部分４２Ａよりも外側の部分、即ち、図３における二つの切欠部４２１、４２１の間となる内側部分４２Ａよりも手前側の部分４２Ｂ及び奥側の部分４２Ｃの各々の延出長よりも長くなるように形成されている。
なお、内側部分４２Ａよりも手前側の部分４２Ｂ及び奥側の部分４２Ｃの各々の延出長は略等しくなっている。
【００２０】
そして、上記構成の第一の係合部４１及び第二の係合部４２は、第一の上面長片部３１１及び第二の上面長片部３１２が折曲される際に、対向する第一の切欠部４１１及び第二の切欠部４２１どうしを互いに嵌め合わせるようにして係合されるようになっている。
これにより、第一の係合部４１に形成された二つの第一の切欠部４１１、４１１間の内側部分４１Ａの上側に第二の係合部４２に形成された二つの第二の切欠部４２１、４２１間の内側部分４２Ａが配設され、且つ、第二の係合部４２に形成された内側部分４２Ａよりも外側の部分４２Ｂ、４２Ｃの上側に第一の係合部４１に形成された内側部分４１Ａよりも外側の部分４１Ｂ、４１Ｃが配設された状態となるようになっている。
【００２１】
なお、第一の上面長片部３１１における第一の切欠部４１１の長辺上縁部２ａ側の先端部から長辺上縁部２ａまでの長さは、底面部１の長辺下縁部１ａ間の長さの略１／２となっており、また、第二の上面長片部３１２における第二の切欠部４２１の長辺上縁部２ａ側の先端部から長辺上縁部２ａまでの長さは、底面部１の長辺下縁部１ａ間の長さも略１／２となっている。
これによって、第一の係合部４１及び第二の係合部４２が係合されることにより、第一の上面長片部３１１及び第二の上面長片部３１２により構成される上面部３の長辺上縁部２ａ間の長さが底面部１の長辺下縁部１ａ間の長さと略等しくなるようになっている。
また、上面長片部３１の先端の角部には、Ｒ（アール）がつけられている。
【００２２】
なお、長辺上縁部２ａ及び短辺上縁部２ｂの各々には、上面長片部３１及び上面短片部３２の各々が内側に折曲され易くなるようにミシン目（図２参照）が設けられている。
【００２３】
次に、第一の上面長片部３１１及び第二の上面長片部３１２を折曲させることによる上面部３の閉動作について、図３及び図４を参照して説明する。
なお、図４は、上面部３の閉動作を説明するための斜視図である。
【００２４】
先ず、図３に示すように、第一の上面長片部３１１及び第二の上面長片部３１２を互いに近づけるように開口部側に折曲させると、第一の係合部４１の外側の部分４１Ｂ、４１Ｃよりも延出長が短くなっている二つの切欠部４１１、４１１の間の内側部分４１Ａの上側に、第二の係合部４２の外側の部分４２Ｂ、４２Ｃよりも延出長が長くなっている二つの第二の切欠部４２１、４２１の間の内側部分４２Ａが配置され、且つ、第一の係合部４１の内側部分４１Ａよりも外側の部分４１Ｂ、４１Ｃの下側に第二の係合部４２の内側部分４２Ａよりも外側の部分４２Ｂ、４２Ｃが配置されることとなる。
即ち、第一の上面長片部３１１及び第二の上面長片部３１２を開口部側に折曲させていくことにより、第一の係合部４１の内側部分４１Ａよりも手前側の部分４１Ｂが第二の係合部４２の内側部分４２Ａよりも手前側の部分４２Ｂの上側に、第一の係合部４１の内側部分４１Ａが第二の係合部４２の内側部分４２Ａの下側に、第一の係合部４１の内側部分４１Ａよりも奥側の部分４１Ｃが第二の係合部４２の内側部分４２Ａよりも奥側の部分４２Ｃの上側に配置されるように、第一の係合部４１及び第二の係合部４２が上下に重なった状態となる（図４参照）。
【００２５】
そして、第一の係合部４１の内側部分４１Ａと第二の係合部４２の内側部分４２Ａとが重なった部分が下方に移動させられるように押し込まれることにより、対向する第一の切欠部４１１及び第二の切欠部４２１どうしが嵌め合わされるようにして当該第一の係合部４１及び第二の係合部４２が係合される。
なお、第一の切欠部４１１及び第二の切欠部４２１が嵌め合わされた部分に隙間が生じる場合には、二つの長起立面部２１、２１が一方の長起立面部２１を他方の長起立面部２１に近づけるように押圧されることにより、第一の切欠部４１１及び第二の切欠部４２１の嵌め合わせを確実なものとすることができる。
【００２６】
以上のように、本実施形態の包装用箱１００によれば、上面部３を構成する第一の上面長片部３１１及び第二の上面長片部３１２には、それぞれ二つの第一の切欠部４１１、４１１及び第二の切欠部４２１、４２１が互いに嵌め合わされるようにして係合される第一の係合部４１及び第二の係合部４２が設けられている。そして、第一の上面長片部３１１及び第二の上面長片部３１２を開口部側に折曲させていくことにより、第一の係合部４１に形成された二つの第一の切欠部４１１、４１１の間の内側部分４１Ａの上側に第二の係合部４２に形成された二つの第二の切欠部４２１、４２１の間の内側部分４２Ａが配設され、且つ、第二の係合部４２の内側部分４２Ａよりも外側の部分４２Ｂ、４２Ｃの上側に第一の係合部４１の内側部分４１Ａよりも外側の部分４１Ｂ、４１Ｃが配設されるように係合される。
このとき、第一の係合部４１に形成された二つの第一の切欠部４１１、４１１の間の内側部分４１Ａは、その外側の部分４１Ｂ、４１Ｃよりも延出長が短く、さらに、第二の係合部４２に形成された二つの第二の切欠部４２１、４２１の間の内側部分４２Ａは、その外側の部分４２Ｂ、４２Ｃよりも延出長が長くなっているので、第一の上面長片部３１１及び第二の上面長片部３１２を開口部側に折曲させることにより、第一の係合部４１の内側部分４１Ａの上側に第二の係合部４２の内側部分４２Ａを簡便に配置させることができ、さらに、第二の係合部４２の内側部分４２Ａよりも外側の部分４２Ｂ、４２Ｃの上側に第一の係合部４１の内側部分４１よりも外側の部分４１Ｂ、４１Ｃを簡便に配置させることができる。
そして、二つの第一の切欠部４１１、４１１及び第二の切欠部４２１、４２１の間の内側部分どうし４１Ａ、４２Ａが略上下に重なった部分が下方に移動させられることにより、第一の係合部４１及び第二の係合部４２を簡便に係合することができる。
このように、第一の上面長片部３１１及び第二の上面長片部３１２を開口部側に折曲させていくことにより、第一の係合部４１及び第二の係合部４２が各々に形成された二つの第一の切欠部４１１、４１１及び第二の切欠部４２１、４２１が互いに嵌め合わされるようにして係合されることとなって、上面部３を開封しても、当該上面部３の再封止を簡略な構造で適正に行うことができる。
【００２７】
なお、本発明は、上記実施形態に限定されることなく、本発明の趣旨を逸脱しない範囲において、種々の改良並びに設計の変更を行っても良い。
例えば、第一の係合部４１及び第二の係合部４２の各々に第一の切欠部４１１及び第二の切欠部４２１を二つずつ形成するようにしたが、これに限られるものではなく、切欠部４１１、４２１の数は少なくとも二つであれば良い。即ち、切欠部４１１、４２１の数を三つ以上設けることにより、第一の係合部４１と第二の係合部４２との係合による強度をより強くすることができる。これによって、包装用箱１００内に収容可能な被包装物の重量を重くすることができ、当該包装用箱１００をより魅力的なものとすることができる。
【００２８】
また、上記実施形態では、包装用箱１００として略直方体状に形成されたものを例示したが、包装用箱１００の形状はこれに限られるものではなく、少なくとも、複数の起立面部２のうちの何れか二つの起立面部２の上端側にて所定方向に延在する上縁部が略平行となるように配設され、これら上縁部を折り目として開口部側に折曲される第一の上面片部及び第二の上面片部が備えられていれば良い。
【００２９】
なお、包装用箱１００を段ボール紙から形成する場合、その目の方向に対して第一の切欠部４１１及び第二の切欠部４２１が略平行となるように延在して形成されるのが好ましい。これにより、段ボール紙の目の方向に対して直交する方向に第一の切欠部４１１及び第二の切欠部４２１を延在して形成したものに比べて第一の係合部４１及び第二の係合部４２の強度を向上させることができ、第一の係合部４１及び第二の係合部４２を係合させる際に、第一の切欠部４１１及び第二の切欠部４２１の内側部分４１Ａ、４２Ａや、外側部分４１Ｂ、４１Ｃ、４２Ｂ、４２Ｃが折れ曲がってしまうことを防止することができる。
【００３０】
また、包装用箱１００を被包装物の配送用箱として用いる場合、裏面に粘着性のシール部が設けられた配送用伝票（図示略）を第一の係合部４１及び第二の係合部４２が係合された部分を被覆するように貼付することで、当該包装用箱１００の封止をより適正なものとすることができる。このとき、第一の係合部４１及び第二の係合部４２の係合により上面部３の封止が適正に行われているので、第一の係合部４１及び第二の係合部４２の境目部分をガムテープ等の封止部材で貼り合わせる必要がなくなり、配送用伝票を用いるだけで上面部３の封止を十分なものとすることができる。
また、第一の係合部４１及び第二の係合部４２が係合された部分を被覆するように配送用伝票が貼付されているので、配送途中等に当該包装用箱１００が開封されてしまうといったことを防止することができる。即ち、第一の係合部４１及び第二の係合部４２の境目部分をガムテープ等で封止する構成とすると、そのガムテープを剥がして予め準備したガムテープにより再度貼り直すといったことを防止することはできないが、配送用伝票の場合、予め準備して貼り直すといったことができないので包装用箱１００の配送途中での開封を適正に防止することができる。
【００３１】
さらに、上記実施形態では、係合部４１（４２）を上面長片部３１に設けるようにしたが、これに限られるものではなく、例えば、上面短片部３２に設けるようにしても良い。
【図面の簡単な説明】
【００３２】
【図１】本発明を適用した一実施形態として例示する包装用箱を示す斜視図である。
【図２】図１の包装用箱を示す展開図である。
【図３】図１の包装用箱の上面部を開いた状態を示す斜視図である。
【図４】図３の上面部の閉動作を説明するための斜視図である。
【符号の説明】
【００３３】
１００  包装用箱
１      底面部
２      起立面部
２１    長起立面部
２ａ    長辺上縁部
３      上面部
３１１  第一の上面長片部
３１２  第二の上面長片部
４１    第一の係合部
４１１  第一の切欠部
４２    第二の係合部
４２１  第一の切欠部
【図１】
2006232304.tif 000003
【図２】
2006232304.tif 000004
【図３】
2006232304.tif 000005
【図４】
2006232304.tif 000006